(57)【要約】【課題】  組み立て作業性が向上し、指針の軽量化と剛性の向上をはかることが可能な指針式計器を提供する。【解決手段】  光源１０を搭載した指針２と、指針２を駆動する駆動装置３と、駆動装置３を搭載する回路基板４とを備えた指針式計器Ｍにおいて、駆動装置３側の回路基板４に設けた第１のコイル１７と、指針２に設けた第２のコイル１５と、指針２の一部を形成する通電可能な金属部材１１ａ、１１ｂとを備え、光源１０を金属部材１１ａ、１１ｂに実装し、第１、第２のコイル１７、１５の電磁誘導によって光源１０に給電するものである。【選択図】  図１
2010054408.tif 000002
【特許請求の範囲】
【請求項１】
光源を搭載した指針と、前記指針を駆動する駆動装置と、前記駆動装置を搭載する回路基板と、を備えた指針式計器において、前記駆動装置側に設けた第１のコイルと、前記指針に設けた第２のコイルと、前記指針の一部を形成する通電可能な金属部材と、を備え、前記光源を前記金属部材に実装し、前記第１、第２のコイルの電磁誘導によって前記光源に給電したことを特徴とする指針式計器。
【請求項２】
前記金属部材に孔を設け、この孔に前記駆動装置の回転軸を挿入固定したことを特徴とする請求項１に記載の指針式計器。
【請求項３】
前記金属部材に端子部を設け、この端子部に前記第２のコイルを接続したことを特徴とする請求項１に記載の指針式計器。
【請求項４】
前記第２のコイルを巻き付けて固定するボビン部を前記指針に形成したことを特徴とする請求項１に記載の指針式計器。
【請求項５】
前記第１のコイルを巻き付けて固定するボビン部を前記駆動装置に形成したことを特徴とする請求項１に記載の指針式計器。
【請求項６】
前記駆動装置に端子を設け、この端子に前記第１のコイルを接続したことを特徴とする請求項５に記載の指針式計器。
【発明の詳細な説明】
【技術分野】
【０００１】
本発明は、例えば、車両用の計器などに用いられる指針式計器に関する。
【背景技術】
【０００２】
従来の指針式計器は、文字板の裏面側に配設された駆動装置と、前記駆動装置の回転軸に装着され前記文字板を迂回する指針と、前記指針に配設される指針部と、前記指針に配設され前記指針部を発光させる光源と、前記表示手段の背面側に配設され前記駆動装置を備えた回路基板と、一端が前記光源に接続され他端が前記回路基板に接続され前記光源へ通電する可撓性基板とを備えたものである。
【０００３】
この可撓性基板は、前記指針の回動に追従するために、前記駆動装置の回転軸に巻き付くように設けられたものであった。
【特許文献１】国際公開第２００６／５８２１号パンフレット
【発明の開示】
【発明が解決しようとする課題】
【０００４】
しかしながら、前記可撓性基板を備えているために、前記指針と前記回路基板に接続するために、組み立て作業性が煩雑であるといった問題点があった。
【０００５】
また、前記指針が前記文字板を迂回する場合は、前記指針が大型化に伴い、前記指針の動作に支障をきたすので、軽量化や剛性の向上が必要となるといった問題点があった。
【０００６】
そこで、本発明は前述した問題点に着目し、組み立て作業性が向上し、指針の軽量化と剛性の向上をはかることが可能な指針式計器を提供することを目的とする。
【課題を解決するための手段】
【０００７】
本発明は、光源を搭載した指針と、前記指針を駆動する駆動装置と、前記駆動装置を搭載する回路基板と、を備えた指針式計器において、前記駆動装置側に設けた第１のコイルと、前記指針に設けた第２のコイルと、前記指針の一部を形成する通電可能な金属部材と、を備え、前記光源を前記金属部材に実装し、前記第１、第２のコイルの電磁誘導によって前記光源に給電したものである。
【０００８】
また、本発明は、前記金属部材に孔を設け、この孔に前記駆動装置の回転軸を挿入固定したものである。
【０００９】
また、本発明は、前記金属部材に端子部を設け、この端子部に前記第２のコイルを接続したものである。
【００１０】
また、本発明は、前記第２のコイルを巻き付けて固定するボビン部を前記指針に形成したものである。
【００１１】
また、本発明は、前記第１のコイルを巻き付けて固定するボビン部を前記駆動装置に形成したものである。
【００１２】
また、本発明は、前記駆動装置に端子を設け、この端子に前記第１のコイルを接続したものである。
【発明の効果】
【００１３】
本発明によれば、所期の目的を達成でき、組み立て作業性が向上し、指針の軽量化と剛性の向上をはかることが可能な指針式計器を提供することができる。
【発明を実施するための最良の形態】
【００１４】
以下、本発明を採用した第１実施形態を添付図面に基づいて説明する。
【００１５】
本実施形態の指針式計器Ｍは、車両の速度などの計測項目を表示するものであり、表示手段１と、指針２と、駆動装置３と、回路基板４とを備えている。なお、５は、ハウジングであり、６は、見返し部材である。
【００１６】
表示手段１は、車両に関する情報などを表示するものである。車両に関する情報としては、経路誘導、車両に関する警告表示、また車両の外気温などを表示するものである。また、表示手段１は、文字板の機能を果たすものであり、速度を表す文字や目盛などを表示するものである。
【００１７】
表示手段１は、上記の情報を表示するために、ドットマトリックスの液晶表示素子を備えており、表示手段１は、適宜手段によって、回路基板４に固定されている。
【００１８】
指針２は、アーム部７、指針部８および連結部９とで構成されている。また、指針２には、指針部８に光を供給して発光させる光源である発光ダイオード１０が搭載されている。また、指針２には、第２のコイル１５が設けられている。
【００１９】
アーム部７は、Ｌの字形状で表示手段１を迂回している。そして、一端に設けた連結部９にて指針部８を保持するとともに、他端で、駆動装置３の回転軸３ａに固定されている。
【００２０】
指針２のアーム部７の主要部分は、金属部材１１ａ、１１ｂと合成樹脂部１２と形成されている。
【００２１】
金属部材１１ａ、１１ｂは、燐青銅などからなり通電可能である。発光ダイオード１０への電力を供給するために、２つ設けられており、互いに電気的に接続している。一方の金属部材１１ａには、発光ダイオード１０が実装されている。他方の金属部材１１ｂには、指針２の回転中心部に貫通した孔１３を備えた筒部１４を備えており、この孔１３に駆動装置３の回転軸３ａを挿入固定したものである。また、各金属部材１１ａ、１１ｂには、端子部１１ｃ、１１ｄが設けられている。この端子部１１ｃ、１１ｄには、第２のコイル１５を形成する導線が接続されている。
【００２２】
合成樹脂部１２は、金属部材１１ａ、１１ｂの主要部を覆っている。また、合成樹脂部１２は、指針２の回転中心部に第２のコイル１５を巻き付けて固定するボビン部１６が形成されている。
【００２３】
指針部８は、光を透過可能な合成樹脂からなり、連結部９でアーム部７と固定され、前記文字や目盛を指示するものである。
【００２４】
連結部９は、光を透過可能な合成樹脂からなり、その内部に、金属部材１１ａ、１１ｂの一部と発光ダイオード１０を備えており、指針部８を支持固定している。
【００２５】
駆動装置３は、交差コイル式計器本体やステッピングモータなどの電動機で、回転する回転軸３ａを備えており、指針２を回動させるものである。
【００２６】
回路基板４は、ガラスエポキシ樹脂などからなる硬質の絶縁材料からなる基板である。この回路基板４には、表示手段１、駆動装置３及び第１のコイル１７が固定されている。そして、回路基板４の表面には、図示しない導体を備えており、この導体を介して、表示手段１、駆動装置３及び第１のコイル１７に電力を供給するものである。第１のコイル１７は、ボビン部１８に巻き付けられており、ボビン部１８は、回路基板４に固定されている。なお、１９は端子であり、第１のコイル１７と回路基板４の前記導体とを電気的に接続するものである。
【００２７】
第１、第２のコイル１７、１５の電磁誘導によって、指針２の発光ダイオード１０は、給電され発光するものである。
【００２８】
なお、２０は、第１、第２のコイル１７、１５のノイズ防止用のシールドケースであり、軟磁性材料にて形成されており、円筒形で、第１、第２のコイル１７、１５の周囲を取り囲み、第１、第２のコイル１７、１５で生じる電磁界が他の機器に影響がないようにするものである。
【００２９】
ハウジング５は、遮光性の合成樹脂からなり、表示手段１、指針２、駆動装置３および回路基板４などの指針式計器Ｍの構成部品を収納するものである。
【００３０】
見返し部材６は、遮光性の合成樹脂からなり、ハウジング５に設けられるものである。
【００３１】
以上のように構成したことによって、指針２と回路基板４との電気的な接続に、従来のような可撓性基板を使用することがなくなり、組み立て作業性が改善され、指針２のダイオード１０に電力を供給することが可能な指針式計器Ｍを提供することができる。
【００３２】
また、指針２の一部に金属部材１１ａ、１１ｂを用いることによって、指針２の剛性を向上させることができ、ひいては、材料の使用量を削減することができ、指針２の軽量化を図ることができる。
【００３３】
また、駆動装置３の回転軸３ａに、指針２の金属部材１１ａ、１１ｂで固定することによって、指針２を駆動装置３に強固に固定することができ、指針２のガタつきなどを抑制することができる。
【００３４】
また、金属部材１１ａ、１１ｂに端子部１１ｃ、１１ｄを設けたことによって、部品点数の削減をはかることができる。
【００３５】
次に、本発明の第２実施形態を説明する。本実施形態は、第１のコイル１７を巻き付けて固定するボビン部２１を駆動装置３に一体に形成したものである。また、駆動装置３に第１のコイル１７と回路基板４の前記導体とを電気的に接続する端子２２を設けたものである。
【００３６】
このように構成したことによって、第１実施形態のように、ボビン部１８を独立して設けなくともよく、部品点数の削減と、組み付け作業の簡素化を図ることができる。
【図面の簡単な説明】
【００３７】
【図１】本発明の第１実施形態の指針式計器の断面図。
【図２】同実施形態の指針の上面図。
【図３】本発明の第２実施形態の指針式計器の断面図。
【符号の説明】
【００３８】
Ｍ      指針式計器
２      指針
３      駆動装置
３ａ    回転軸
４      回路基板
７      アーム部
８      指針部
９      連結部
１０      光源（発光ダイオード）
１１ａ、１１ｂ  金属部材
１１ｃ、１１ｄ  端子部
１２      合成樹脂部
１３      孔
１５      第２のコイル
１６      ボビン部
１７      第１のコイル
１８      ボビン部
１９      端子
２１      ボビン部
２２      端子
【図１】
2010054408.tif 000003
【図２】
2010054408.tif 000004
【図３】
2010054408.tif 000005